(57)【要約】【課題】サイズの異なる複数種類の通帳や媒体を高精度に判別する媒体種別判別装置及び媒体種別判別方法を提供する。【解決手段】光学的読取装置により媒体の横幅を検出する。光学的読取装置により検出した輝度又は色などの検出値が変化する点を媒体の横幅を表す点とする。また、光学センサが媒体を検知する時間と媒体の搬送速度から媒体の縦幅を検出する。得られた縦幅と横幅を基に媒体ごとの縦幅及び横幅を格納しているテーブルを参照し、媒体の種別を判定する。さらに、光学的読取装置の検出値から印字位置を判定する。光学的読取装置は例えばＣＣＤを用いることができる。【選択図】図１
2008012894.tif 000002
【特許請求の範囲】
【請求項１】
媒体挿入口に設けられ媒体の有無を検知する光学センサと、
この光学センサを前記媒体が通過する時間と移動速度から前記媒体の縦幅を検出する縦幅検出部と、
印刷する媒体をスキャンし画像情報を得る光学的読取装置と、
前記光学的読取装置によって検出された輝度の変化点から媒体の横幅を検出する横幅検出部と、
媒体種類毎に固有の縦幅と横幅との関係を格納した媒体サイズテーブルと、
前記縦幅検出部が検出した媒体の縦幅と前記横幅検出部が検出した媒体の横幅とを基に前記媒体サイズテーブルを参照して媒体種別を判別する制御部と、
前記光学的読取装置によって検出された輝度の変化点から印字位置を検出する印字位置検出部と、
を有することを特徴とする媒体種別判別装置。
【請求項２】
前記横幅検出部が前記光学的読取装置によって検出された色の変化点から媒体の横幅を検出し、
前記印字位置検出部が前記光学的読取装置によって検出された色の変化点から印字位置を検出することを特徴とする、請求項１記載の媒体種別判別装置。
【請求項３】
前記縦幅検出部が、光学センサを前記媒体が通過する時間と移動速度から前記媒体の縦幅を検出する縦幅検出ステップと、
前記横幅検出部が、前記光学的読取装置によって検知された輝度の変化点から媒体の横幅を検出する横幅検出ステップと、
前記制御部が、前記縦幅検出部が検出した媒体の縦幅と前記横幅検出部が検出した媒体の横幅とを基に前記媒体サイズテーブルを参照して媒体種別を判別する媒体判別ステップと、
前記印字位置検出部が、前記光学的読取装置によって検出された輝度の変化点から印字位置を検出する印刷位置検出ステップと、
を有することを特徴とする媒体種別判別方法。
【請求項４】
前記横幅検出ステップにおいて、前記横幅検出部が前記光学的読取装置によって検出された色の変化点から媒体の横幅を検出し、
前記印刷位置検出ステップにおいて、前記印字位置検出部が前記光学的読取装置によって検出された色の変化点から印字位置を検出することを特徴とする、請求項３記載の媒体種別判別方法。
【発明の詳細な説明】
【技術分野】
【０００１】
本発明は、通帳や帳票などの媒体の媒体種別判別装置及び媒体種別判別方法に係り、特に光学的読取装置によって媒体の種別を判別する媒体種別判別装置及び媒体種別判別方法に関する。
【背景技術】
【０００２】
従来の媒体種別判別装置は媒体種別毎の横幅にあわせて複数の光学センサを配置することにより媒体の横幅を検出していた。しかし、媒体の種別が増加するに従い横幅の大きさも種類が増加するため光学センサを数多く用いなければならず、一つの装置の中に配置しきれなくなるという問題点があった。また、横幅の差が小さい媒体間においては光学センサが誤検出するという問題点があった。
【０００３】
この問題に関する従来技術には以下のものがある。
【０００４】
特許文献１には、帳票積載部の上方に帳票正面までの距離を測定するセンサを帳票の幅方向に複数配列し、幅の異なる帳票が幅方向に階段状に積載されているとき、センサが距離の変化点を検知することにより帳票の位置及び幅を検出する技術が記載されている。
【０００５】
しかし、通帳や帳票を一部ずつ媒体種別判別装置に投入した場合には、非常に高精度のセンサを用いない限り横幅の検出が困難になるという問題点があった。また、高精度のセンサは非常に高価であり、媒体種別判別装置の製造コストを押し上げるという問題点があった。
【特許文献１】特開２００５−２７１４２７号公報
【発明の開示】
【発明が解決しようとする課題】
【０００６】
本発明は上記のような問題点に鑑みてなされたものであり、サイズの異なる複数種類の通帳や帳票などの媒体を高精度に判別する媒体種別判別装置及び媒体種別判別方法を提供することを目的とする。
【課題を解決するための手段】
【０００７】
この目的を達成するために、請求項１の媒体種別判別装置は、媒体挿入口に設けられ媒体の有無を検知する光学センサと、この光学センサを媒体が通過する時間と移動速度から媒体の縦幅を検出する縦幅検出部と、印刷する媒体をスキャンし画像情報を得る光学的読取装置と、光学的読取装置によって検出された輝度の変化点から媒体の横幅を検出する横幅検出部と、媒体種類毎に固有の縦幅と横幅との関係を格納した媒体サイズテーブルと、縦幅検出部が検出した媒体の縦幅と横幅検出部が検出した媒体の横幅とを基に媒体サイズテーブルを参照して媒体種別を判別する制御部と、光学的読取装置によって検出された輝度の変化点から印字位置を検出する印字位置検出部と、を有することを特徴とする。
【０００８】
また、請求項３の媒体種別判別方法は、縦幅検出部が、光学センサを媒体が通過する時間と移動速度から媒体の縦幅を検出する縦幅検出ステップと、横幅検出部が、光学的読取装置によって検知された輝度の変化点から媒体の横幅を検出する横幅検出ステップと、制御部が、縦幅検出部が検出した媒体の縦幅と横幅検出部が検出した媒体の横幅とを基に媒体サイズテーブルを参照して媒体種別を判別する媒体判別ステップと、印字位置検出部が、光学的読取装置によって検出された輝度の変化点から印字位置を検出する印刷位置検出ステップと、を有することを特徴とする。
【発明の効果】
【０００９】
本発明の媒体種別判別装置及び媒体種別判別方法によれば、光学的読取装置により媒体の横幅を検出するため多数種類の媒体の種別を高精度に判別でき、印刷位置の判定をも行うことができる。
【発明を実施するための最良の形態】
【００１０】
以下、本発明の実施形態について図面を用いて説明する。図１は本発明の実施形態における媒体種別判別装置の構成例を模式的に表した図である。本発明の実施形態の媒体種別判別装置１０１は、媒体挿入口１１１と、媒体搬送路１１２の上方に配置された媒体の有無を検知する光学センサ１０５および媒体を撮像する光学的読取装置１０６および媒体に印字する印字ヘッド１０７と、搬送路の上下に配置された、媒体のページを捲るページ捲り機構１１０と、搬送路１１２の下方に媒体が有する磁気ストライプを読み込む磁気リーダ１０８とを備える。符号１０２は媒体を表し、符号１０３は媒体の挿入方向を、符号１０４は媒体の搬出方向を表す。また図示していないが、媒体を搬送する搬送機構と、媒体の横幅及び縦幅から媒体種別を判定する制御部と、印字位置を検出する印字位置検出部と、をさらに備える。
【００１１】
ここで、媒体とは冊子状の通帳の他、１枚又は複数枚の紙からなる帳票を含むが、印字又は磁気的書き込みができる他の媒体をも含むものとする。また、光学センサは透過型でも反射型でもよい。さらに、印字ヘッドは熱転写型、ドットインパクト型、インクジェット型のいずれでもよい。
【００１２】
図２（ａ）は本発明の実施形態における媒体種別判別装置２０１を上方から見た状態を模式的に表した図である。媒体２０２において、矢印２０３は媒体の縦方向の長さを、矢印２０４は媒体の横幅をそれぞれ表す。符号２０５は媒体２０２の横幅の種類を模式的に表したものである。これらの横幅においては差が数ミリしかないものも含まれる。
【００１３】
符号２０６は媒体の搬入方向を、符号２０７は媒体の搬出方向をそれぞれ表す。媒体の有無を検出する光学センサ２０８は媒体挿入口に配置される。光学的読取装置２０９は媒体搬送方向に垂直に配置される。印字部２１１は媒体搬送方向に垂直に設けられ、印字ヘッドは印字部２１１の長手方向に移動可能に設けられている。なお、媒体の縦幅とは媒体の搬送方向の長さであり、媒体の横幅とは媒体の搬送方向と垂直な方向の長さを意味する。
【００１４】
図２（ｂ）は光学的読取装置２０９を媒体側から見た状態を模式的に表した図である。光学的読取装置２０９には光学的読取素子２１０を複数並べて配置してある。光学的読取素子の背面にはライトと反射鏡が設けられている。光学的読取素子２０９にはたとえばＣＣＤ（Ｃｈａｒｇｅ  Ｃｏｕｐｌｅｄ  Ｄｅｖｉｃｅｓ（電荷結合素子））を用いることができる。光学的読取装置２０９は媒体をスキャンして反射光を取り込み、画像情報を得る。
【００１５】
図３（ａ）は本発明の実施形態における媒体種別判別装置２０１に挿入された媒体である通帳及び搬送路を上方から見た図である。搬送路３０１は黒色に塗られている。光学的読取装置２０９は、通帳の余白部分３０２をスキャンする。図３（ｂ）は光学的読取装置２０９がスキャンにより検知した結果をグラフに表した図である。縦軸３０５は輝度を、横軸３０６は横幅方向の位置を示す。通帳がある部分は輝度が大きく、グラフに表すと符号３０７に示すようになる。搬送路３０１は黒色に塗られているため輝度が小さく、グラフにすると符号３０８に示すようになる。このように輝度が変化する位置、すなわち輝度の変化点を判定し、媒体の横幅を検出することができる。
【００１６】
図３（ｃ）は光学的読取装置２０９が通帳に印字された行３０３をスキャンにより検知した結果を表した図である。印字された部分は輝度が小さくなるため、グラフに表すと符号３０９に示すようにグラフが細かく上下する。符号３０９の様な部分が検出された場合、制御部はその行はすでに印字済みであると判定する。この印字済みの行の次に図３（ｂ）のように輝度が小さくなった部分が検出されない行を媒体に検出した場合、その行が印字位置であると判定する。なお、印字位置の判定には輝度に代えて色を用いてもよい。
【００１７】
図４は本発明の実施形態における媒体種別判別装置を構成する要素のブロック図である。実施形態における媒体種別判別装置は、媒体の有無を検出する光学センサ４０３と、この光学センサから検出値を入力し、媒体を検出した時間と搬送速度から媒体の縦幅を判定する縦幅検出部４０２と、光学的読取装置４０５から検出値を入力し輝度又は色のデータから媒体の横幅を検出する横幅検出部４０４と、媒体を搬送する搬送機構４０６と、媒体の種類ごとに媒体の縦幅と横幅との関係を格納する媒体サイズテーブル４０７と、縦幅検出部４０２が判定した縦幅と横幅検出部４０４が判定した横幅とを基に媒体サイズテーブル４０７を参照し、媒体種別を判定する制御部４０１と、光学的読取装置が検出した輝度又は色の変化から印字位置を判定する印字位置検出部と、印字を行う印字部４１０と、印字位置検出部４０９と印字部４１０を制御する印字制御部４０８と、を備える。
【００１８】
制御部４０１は縦幅検出部４０２及び横幅検出部４０４及び搬送機構４０６及び印字制御部４０８とを制御する。搬送機構４０６は制御部４０１からの指示に従い、１行分ずつ媒体を搬送することができる。媒体サイズテーブル４０７は新規な媒体サイズを追加することができる。また、媒体サイズテーブル４０７はメモリに格納されていても磁気ディスクなどの外部記憶装置に格納されていてもよい。なお、媒体種別判別装置を構成する要素はこれらに限られるものではない。
【００１９】
図５は本発明の実施形態における媒体種別判別処理のフローチャートである。ステップＳ５０１において、縦幅検出部４０２は光学センサ４０３が媒体を検知している時間と搬送スピードから媒体の縦幅を検出し、制御部４０１に送信する。ステップＳ５０２において、制御部４０１は媒体サイズテーブル４０７を参照し、受信した媒体の縦幅が媒体サイズテーブル４０７に格納されているか判定する。受信した縦幅が格納されていなければステップＳ５０９に進み、格納されている場合はステップＳ５０３に進む。
【００２０】
ステップＳ５０３において、横幅検出部４０４は光学的読取装置４０５によって検出された輝度又は色からその変化点を検出することにより媒体の横幅を検出し、制御部４０１に送信する。ステップＳ５０４において、制御部４０１はステップＳ５０１において受信した縦幅と、本ステップにおいて受信した横幅の組み合わせから該当する媒体種別が媒体サイズテーブルに格納されているかを判定する。媒体種別が格納されていなければステップＳ５０９に進み、格納されている場合にはステップＳ５０５に進む。
【００２１】
ステップＳ５０５において、制御部４０１は印刷位置を判定する。具体的には、制御部４０１は横幅検出部４０４が検出した輝度又は色の横方向の位置毎の検出値から当該の行が印字済みであるかを判定する。印字済みであることの判定は、印字位置検出部４０９が次のように行う。
【００２２】
光学的読取装置４０５が検出した輝度又は色の検出値を左端から順に読み込む。最初に輝度の大きい又は色が白い検出値が検出され、次いで輝度の小さい又は色の黒い検出値が検出され、次いで再び輝度の大きい又は色が白い検出値が検出され、あらかじめ定められた回数以上これらの輝度の変動が繰り返された場合には、その行は印刷済みであると判定する。媒体において輝度の大きい又は色が白い検出値だけが検出された場合には、その行は印刷されていないと判定する。これらの判定手順を媒体の最終行まで行い、印字済みの行の次に検出された印字されていない行を印刷位置と判定する。
【００２３】
ステップＳ５０６において、制御部は挿入された媒体、例えば通帳の当該のページの中に印刷可能な行を検出できた場合には、ステップＳ５０８において印字処理を行う。印字可能な行が検出できなかった場合にはステップＳ５０７に進む。ステップ５０７において、制御部はページ捲り機構１０６にページ捲り指示を送信し、ページ捲り機構１０６ページを捲った後に印字可能な行があるか判定し、印字可能な行があれば印字し、なければ搬送機構４０６に媒体を排出するように指示を送信し、搬送機構４０６は通帳を排出する。一方、ステップＳ５０９において、搬送機構４０６は媒体を排出する。
【００２４】
以上のように構成することにより、本実施形態においては光学的読取装置により媒体の横幅を検出するため、多数種類の媒体の種別を判別でき、印刷位置の判定をも行うことができる。さらに媒体サイズの種類が増加しても高精度に媒体の種類を判別できる。
【００２５】
なお、本発明はその技術思想の範囲内において種々変形して実施できる。
【図面の簡単な説明】
【００２６】
【図１】本発明の第１の実施形態の媒体種別判別装置の構成例を表した図である。
【図２】第１の実施形態における媒体種別判別装置を上方から見た状態と光学的読取装置を模式的に表した図である。
【図３】第１の実施形態における媒体種別判別装置に挿入された通帳及び搬送路を上方から見た図及びグラフである。
【図４】第１の実施形態における媒体種別判別装置を構成する要素のブロック図である。
【図５】第１の実施形態における媒体種別判別処理のフローチャートである。
【符号の説明】
【００２７】
１０１：媒体種別判別装置、
１０２：媒体、
１０５：光学センサ、
１０６：光学的読取装置、
１０７：印字ヘッド、
１１０：ページ捲り機構、
４０１：制御部、
４０２：縦幅検出部、
４０４：横幅検出部、
４０７：媒体サイズテーブル。
【図１】
2008012894.tif 000003
【図２】
2008012894.tif 000004
【図３】
2008012894.tif 000005
【図４】
2008012894.tif 000006
【図５】
2008012894.tif 000007